(57)【特許請求の範囲】
【請求項１】
前面に凸部が形成された器具本体と、前記器具本体の前方に配置された放電灯とを備えた照明器具において、前記凸部の先端が前記放電灯の最前面よりも後方の位置にあり、前記器具本体の凸部に複数の可視発光ダイオードを取付けることにより、前記放電灯と前記複数の可視発光ダイオードとを照明用光源として組み合わせ、前記放電灯と前記複数の可視発光ダイオードとを切り替えて点灯可能とし、同時に点灯させることもできることを特徴とする照明器具。
【請求項２】
複数の可視発光ダイオードを、照明器具の状態を表示する表示用として利用可能とした請求項１記載の照明器具。
【請求項３】
複数の可視発光ダイオードを、器具本体の複数箇所に集約させて配置した請求項１記載の照明器具。
【請求項４】
複数の可視発光ダイオードを、器具本体全体に拡散させて配置した請求項１記載の照明器具。
【請求項５】
複数の可視発光ダイオードを、放電灯の形状に沿うように、前記放電灯の近傍に並べて配置した請求項１記載の照明器具。
【請求項６】
放電灯と複数の可視発光ダイオードを覆うように拡散性のカバーを有し、前記放電灯の点灯時に、拡散性のカバーの外側から見たときに暗く見える箇所を照射するように、前記複数の可視発光ダイオードを集約させて配置した請求項１記載の照明器具。
【請求項７】
複数の可視発光ダイオードは、発光色が異なる複数種の可視発光ダイオードからなり、それぞれの可視発光ダイオードの光出力を個別に変化させる手段を備えることにより、可視発光ダイオード点灯時の光色変化が可能である請求項１記載の照明器具。
【発明の詳細な説明】
【０００１】
【発明の属する技術分野】
この発明は、放電灯を照明用光源として利用する照明器具に関する。
【０００２】
【従来の技術】
放電灯と白熱灯とを、照明用光源として組み合わせて用いた照明器具は従来より存在し、例えば図１５に示すような構成である。
【０００３】
図１５において、照明用光源は放電灯（環形蛍光灯）５０および白熱豆球（白熱灯）５１を用いて、機械式スイッチまたはリモートコントロールにより、点灯させる光源を切り替えて使用する照明器具である。照明器具本体５２を拡散性のカバー５３によって覆うことにより、放電灯５０の眩しさを抑え、柔らかい光となるように工夫されている。図１６は点灯切替の動作を示し、放電灯点灯、白熱灯点灯、消灯の順に動作する。
【０００４】
【発明が解決しようとする課題】
しかしながら、従来の照明器具では、近年、高周波点灯専用ランプに代表されるような、ランプの直径が細く厚みが薄い放電灯が登場してきているにもかかわらず、白熱灯の外形寸法の方が大きいため、図１５（ｂ）の断面図に示すように、白熱灯５１の高さが最も高くなり、照明器具全体の高さが白熱灯５１の寸法に依存するという問題があった。
【０００５】
また、従来の照明器具では、例えば放電灯の寿命が近づいた際に、事前にそれを知らせたり、放電灯を調光させた場合の調光度合いを知らせる表示を行うためには、表示用の部品を別途用意する必要があった。また、白熱灯の外形寸法が大きいため、白熱灯を複数配置して使用することが困難であるという問題があった。また、白熱灯を商用電源で点灯していることが多く、この場合、照明器具の任意の位置に白熱灯を配置することが困難であるという問題があった。
【０００６】
また、図１５（ａ）に示すように、拡散性カバー５３を取り付けることによって、拡散性カバー５３の外側から見た場合に、放電灯点灯時には放電灯５０のソケット部およびランプ口金５０ａや照明器具本体５２の中央部に、影（暗く見るところ）５４が少なからず存在するという問題があった。
【０００７】
また、放電灯の光色は、その放電灯が持つ特性により決まっているため、放電灯点灯時の光色を変化させることが困難であるという問題があった。
【０００８】
したがって、この発明の目的は、上記問題点に鑑みてなされたものであり、照明器具の高さを放電灯の薄型化に応じてなるべく低く抑えることができ、放電灯の寿命時や調光状態など使用者に何らかの状態表示を行うことが容易であり、照明器具直下の照度を均一かつ明るくさせ、照明器具の拡散性カバーの外側から見た場合の影の発生を抑制し、放電灯点灯時の光色を変化させることができる等、従来の照明器具の問題点を克服し新しい機能を持った照明器具を提供することである。
【０００９】
【課題を解決するための手段】
上記課題を解決するためにこの発明の請求項１記載の照明器具は、前面に凸部が形成された器具本体と、前記器具本体の前方に配置された放電灯とを備えた照明器具において、前記凸部の先端が前記放電灯の最前面よりも後方の位置にあり、前記器具本体の凸部に複数の可視発光ダイオードを取付けることにより、前記放電灯と前記複数の可視発光ダイオードとを照明用光源として組み合わせ、前記放電灯と前記複数の可視発光ダイオードとを切り替えて点灯可能とし、同時に点灯させることもできることを特徴とする。
【００１０】
このように、放電灯と複数の可視発光ダイオードとを照明用光源として組み合わせて器具本体に配置し、放電灯と複数の可視発光ダイオードとを切り替えて点灯可能としたので、従来の白熱灯に替えて可視発光ダイオードを使用することで、照明器具の高さを放電灯の薄型化に応じてなるべく低く抑えることができる。
【００１１】
また、複数の可視発光ダイオードと放電灯とを機械式スイッチまたはリモートコントロールなど各種の手段で切り替えることにより、それぞれの光源を単独で点灯させることができる。
【００１２】
さらに、放電灯と複数の可視発光ダイオードとを同時に点灯させることができるので、照明器具全体としての光色を所定の色に変える効果を得る。この際、放電灯と可視発光ダイオードをそれぞれ独立させて調光または消灯させることで光色と照度を多様に設定できる。
【００１３】
請求項２記載の照明器具は、請求項１記載の照明器具において、複数の可視発光ダイオードを、照明器具の状態を表示する表示用として利用可能とした。
このように、複数の可視発光ダイオードを、照明器具の状態を表示する表示用として利用可能としたので、照明器具の状態に応じて可視発光ダイオードの点灯状態を変化させることで、放電灯の寿命時や調光状態など使用者に何らかの状態表示を行うことが容易にできる。
【００１４】
請求項３記載の照明器具は、請求項１記載の照明器具において、複数の可視発光ダイオードを、器具本体の複数箇所に集約させて配置した。
このように、複数の可視発光ダイオードを、器具本体の複数箇所に集約させて配置したので、常夜灯として必要な照度を得る。また、複数箇所に配置することで照明器具全体を略均等に発光させる効果を得、各箇所に複数配置することで照明器具直下の照度をより高くする効果を得る。
【００１５】
請求項４記載の照明器具は、請求項１記載の照明器具において、複数の可視発光ダイオードを、器具本体全体に拡散させて配置した。
このように、複数の可視発光ダイオードを、器具本体全体に拡散させて配置したので、常夜灯として必要な照度を得る。また、拡散させて配置することで照明器具全体を略均等に発光させる効果を得、また指向性の高い可視発光ダイオードを用いた際の照明器具直下の眩しさを低減する効果を得る。
【００１６】
請求項５記載の照明器具は、請求項１記載の照明器具において、複数の可視発光ダイオードを、放電灯の形状に沿うように、前記放電灯の近傍に並べて配置した。
このように、複数の可視発光ダイオードを、放電灯の形状に沿うように、放電灯の近傍に並べて配置したので、請求項２のように可視発光ダイオードを放電灯と同時に点灯させた際には、放電灯点灯時の照明器具全体としての光色を所定の色に変える効果を得る。
【００１７】
請求項６記載の照明器具は、請求項１記載の照明器具において、放電灯と複数の可視発光ダイオードを覆うように拡散性のカバーを有し、前記放電灯の点灯時に、拡散性のカバーの外側から見たときに暗く見える箇所を照射するように、前記複数の可視発光ダイオードを集約させて配置した。
このように、放電灯と複数の可視発光ダイオードを覆うように拡散性のカバーを有し、放電灯の点灯時に、拡散性のカバーの外側から見たときに暗く見える箇所を照射するように、複数の可視発光ダイオードを集約させて配置したので、照明器具の拡散性カバーの外側から見た場合の影の発生を抑制することができる。
【００１８】
請求項７記載の照明器具は、請求項１記載の照明器具において、複数の可視発光ダイオードは、発光色が異なる複数種の可視発光ダイオードからなり、それぞれの可視発光ダイオードの光出力を個別に変化させる手段を備えることにより、可視発光ダイオード点灯時の光色変化が可能である。
このように、複数の可視発光ダイオードは、発光色が異なる複数種の可視発光ダイオードからなり、それぞれの可視発光ダイオードの光出力を個別に変化させる手段を備えることにより、可視発光ダイオード点灯時の光色変化が可能であるので、可視発光ダイオードの光色により照明器具の状態を表示することができるとともに、放電灯点灯時の照明器具全体としての光色を変化させることができる。
【００１９】
【発明の実施の形態】
この発明の第１の実施の形態を図１および図２に基づいて説明する。図１（ａ）はこの発明の第１の実施の形態の照明器具の平面図、（ｂ）は断面図である。
【００２０】
図１に示すように、この照明器具は、放電灯点灯装置および可視発光ダイオード２の点灯装置を具備し、放電灯１と複数の可視発光ダイオード２とを照明用光源として組み合わせて器具本体３に配置している。また、放電灯１と複数の可視発光ダイオード２とを目的に応じて切り替えて点灯可能とする点灯切替手段を備えている。
【００２１】
放電灯１は環形蛍光灯である。可視発光ダイオード２は、複数の可視発光ダイオードを一部分に集約させて配置したＬＥＤユニットとしている。点灯切替手段は、機械式スイッチまたはリモートコントロールからなり、放電灯１と可視発光ダイオード２のそれぞれの照明用光源が単独で点灯するように構成される。点灯切替の動作としては、例えば図２に示すように、放電灯点灯、可視発光ダイオード点灯、消灯の順に動作する。なお、可視発光ダイオード２が点灯の際、放電灯１は消灯する。
【００２２】
この実施の形態によれば、複数の小型可視発光ダイオード２を集約させて点灯させることにより常夜灯として必要な照度を得、また照明器具を薄型化する効果を得る。
【００２３】
この発明の第２の実施の形態を図３および図４に基づいて説明する。図３（ａ）はこの発明の第２の実施の形態の照明器具の平面図、（ｂ）は断面図である。
【００２４】
図３に示すように、第１の実施の形態の照明器具の構成において、複数の可視発光ダイオード２を、器具本体３の数箇所に集約させて配置した。
【００２５】
放電灯１は環形蛍光灯である。可視発光ダイオード２は、複数の可視発光ダイオードを集約させて配置したＬＥＤユニットとし、これを複数箇所に備えている。点灯切替手段は、機械式スイッチまたはリモートコントロールからなり、放電灯１と可視発光ダイオード２のそれぞれの照明用光源が単独で点灯するように構成される。点灯切替の動作としては、例えば図４に示すように、放電灯点灯、ＬＥＤ点灯、消灯の順に動作する。なお、ＬＥＤユニット２が点灯の際、放電灯１は消灯する。
【００２６】
この実施の形態によれば、複数の小型可視発光ダイオード２を複数箇所に集約させて点灯させることにより、常夜灯として必要な照度を得、また照明器具を薄型化する効果を得る。また、複数箇所に配置することで照明器具全体を略均等に発光させる効果を得、各箇所に複数配置することで照明器具直下の照度をより高くする効果を得る。
【００２７】
この発明の第３の実施の形態を図５および図６に基づいて説明する。図５（ａ）はこの発明の第３の実施の形態の照明器具の平面図、（ｂ）は断面図である。
【００２８】
図５に示すように、この照明器具は、放電灯点灯装置および可視発光ダイオード２の点灯装置を具備し、放電灯１と複数の可視発光ダイオード２とを照明用光源として組み合わせて器具本体３に配置している。また、放電灯１と複数の可視発光ダイオード２とを目的に応じて切り替えて点灯可能とする点灯切替手段を備えている。
【００２９】
放電灯１は環形蛍光灯である。可視発光ダイオード（ＬＥＤ）２は、器具本体３全体に拡散させて配置した。点灯切替手段は、機械式スイッチまたはリモートコントロールからなり、放電灯１と可視発光ダイオード２のそれぞれの照明用光源が単独で点灯するように構成される。点灯切替の動作としては、例えば図６に示すように、放電灯点灯、ＬＥＤ点灯、消灯の順に動作する。なお、ＬＥＤ２が点灯の際、放電灯１は消灯する。
【００３０】
この実施の形態によれば、複数の小型可視発光ダイオード２を照明器具全体に拡散させて点灯させることにより、常夜灯として必要な照度を得、また照明器具を薄型化する効果を得る。また、照明器具全体に拡散させて配置することで照明器具全体を略均等に発光させる効果を得、また指向性の高い可視発光ダイオードを用いた際の照明器具直下の眩しさを低減する効果を得る。
【００３１】
この発明の第４の実施の形態を図７および図８に基づいて説明する。図７（ａ）はこの発明の第４の実施の形態の照明器具の平面図、（ｂ）は断面図である。
【００３２】
図７に示すように、この照明器具は、放電灯および可視発光ダイオードを複数段階に調光させることのできる点灯装置を具備し、放電灯１と複数の可視発光ダイオード２とを照明用光源として組み合わせて器具本体３に配置している。また、放電灯１と複数の可視発光ダイオード２とを目的に応じて切り替えて点灯、または同時に点灯可能とする点灯切替手段を備えている。
【００３３】
放電灯１は環形蛍光灯である。可視発光ダイオード（ＬＥＤ）２は、複数の可視発光ダイオードを、放電灯１の形状に沿うように、放電灯１の近傍に並べて配置した。点灯切替手段は、機械式スイッチまたはリモートコントロールからなり、放電灯１と可視発光ダイオード２のそれぞれの照明用光源が独立して点灯切替動作するように構成される。点灯切替の動作としては、例えば図８に示すように、放電灯およびＬＥＤ点灯、放電灯点灯、ＬＥＤ点灯、消灯の順に動作する。
【００３４】
この実施の形態では、黄橙色の可視発光ダイオード２を用いており、放電灯１と同時に点灯させることで照明器具全体としての光色を電球色に変える効果を得る。また、放電灯１と可視発光ダイオード２をそれぞれ独立させて調光または消灯させることで光色と照度を多様に設定できる。
【００３５】
この発明の第５の実施の形態を図９および図１０に基づいて説明する。図９（ａ）はこの発明の第５の実施の形態の照明器具の平面図、（ｂ）は断面図である。
【００３６】
図９に示すように、この照明器具は、放電灯点灯装置および可視発光ダイオード２の点灯装置を具備し、放電灯１と複数の可視発光ダイオード２とを照明用光源として組み合わせて器具本体３に配置し、放電灯１と複数の可視発光ダイオード２を覆うように拡散性のカバー４を有する。また、放電灯１と複数の可視発光ダイオード２とを目的に応じて切り替えて点灯、または同時に点灯可能とする点灯切替手段を備えている。
【００３７】
放電灯１は環形蛍光灯である。可視発光ダイオード２は、複数の可視発光ダイオードを複数箇所に集約させて配置したＬＥＤユニットとしている。すなわち、放電灯の点灯時に、拡散性のカバー４の外側から見たときに暗く見える箇所を照射するように、集約させて配置した複数の可視発光ダイオード（ＬＥＤユニットＢ）と、別の位置に集約させて配置した複数の可視発光ダイオード（ＬＥＤユニットＡ）とを備えている。この場合、ＬＥＤユニットＢは、ソケット部に接続される環形放電灯１のランプ口金５の近傍の２箇所に複数の可視発光ダイオードを集約させて配置している。これにより、拡散性カバー４上のソケット部およびランプ口金５の影が生じる部位（図中Ｘ部）を照射している。点灯切替手段は、機械式スイッチまたはリモートコントロールからなり、放電灯１と可視発光ダイオード２のそれぞれの照明用光源が独立して点灯切替動作するように構成される。この場合、放電灯１とＬＥＤユニットＢは同時に点灯する。点灯切替の動作としては、例えば図１０に示すように、放電灯およびＬＥＤユニットＢ点灯、ＬＥＤユニットＡ点灯、消灯の順に動作する。
【００３８】
この実施の形態では、放電灯１の点灯によってできる拡散性カバー４上の陰影を軽減する効果を得る。
【００３９】
この発明の第６の実施の形態を図１１および図１２に基づいて説明する。図１１はこの発明の第６の実施の形態の照明器具の平面図である。
【００４０】
図１１に示すように、この照明器具は、負荷異常検出機能を有する放電灯点灯装置および可視発光ダイオード２の点灯装置を具備し、放電灯１と複数の可視発光ダイオード２とを照明用光源として組み合わせて器具本体３に配置している。また、放電灯１と複数の可視発光ダイオード２とを目的に応じて切り替えて点灯可能とする点灯切替手段を備えている。
【００４１】
放電灯１は環形蛍光灯である。可視発光ダイオード２は、複数の可視発光ダイオードを一部分に集約させて配置したＬＥＤユニットとしている。この可視発光ダイオード２は、照明器具の状態を表示する表示用としても利用可能とした。この場合、ＬＥＤユニットの全部または一部が放電灯点灯装置の動作状態に応じて点灯または点滅する。点灯切替手段は、リモートコントロールからなり、放電灯１と可視発光ダイオード２のそれぞれの照明用光源が単独で点灯するように構成される。
【００４２】
ＬＥＤ点灯の際には、図１２（ａ）に示すように、放電灯点灯状態で放電灯１の負荷異常を検出した場合には可視発光ダイオード２の全部が点灯し、負荷異常時を明確に表示し、負荷異常により消灯した場合でも最低限の照度は確保される効果を得る。また、図１２（ｂ）示すように、リモートコントロール手段により動作の切り替えを行った際に可視発光ダイオード２の一部の表示部６が点滅し、切り替え動作の目視による確認を明確にする効果を得る。
【００４３】
この発明の第７の実施の形態を図１３および図１４に基づいて説明する。図１３はこの発明の第７の実施の形態の照明器具の平面図である。
【００４４】
図１３に示すように、この照明器具は、放電灯１を１００〜２５％の複数段階に調光させることのできる放電灯点灯装置および可視発光ダイオード２の点灯装置を具備し、放電灯１と複数の可視発光ダイオード２とを照明用光源として組み合わせて器具本体３に配置している。また、放電灯１と複数の可視発光ダイオード２とを目的に応じて切り替えて点灯、または同時に点灯可能とする点灯切替手段を備えている。
【００４５】
放電灯１は環形蛍光灯である。可視発光ダイオード（ＬＥＤ）２は、複数の可視発光ダイオードを、放電灯１の形状に沿うように、放電灯１の近傍に並べて配置した。この場合、放電灯１の外周に沿って配置した複数の可視発光ダイオードＡ群２ａと、放電灯１の内周に沿って配置した複数の可視発光ダイオードＢ群２ｂとを具備している。放電灯１の調光具合により内周または外周に配置した可視発光ダイオード２が点灯または消灯する。点灯切替手段は、機械式スイッチまたはリモートコントロールからなり、放電灯１と、可視発光ダイオードＡ群２ａと、可視発光ダイオードＢ群２ｂのそれぞれの照明用光源が単独にて点灯制御可能となるように構成される。点灯切替の動作としては、例えば図１４に示すように、調光度合が１００〜７５％の時には全ての可視発光ダイオード２が点灯し、７５〜５０％の時には内周に沿って配置した可視発光ダイオードＢ群２ｂのみが点灯し、５０〜２５％の時には可視発光ダイオード２は全て消灯している。また、可視発光ダイオードＢ群２ｂのみの点灯も可能であり、この後で放電灯１および可視発光ダイオード２を全て消灯する。
【００４６】
この実施の形態では、放電灯１の調光度合を可視発光ダイオードの点灯により表示し、また照明器具としての調光比を改善する効果を得る。
【００４７】
なお、第１〜４，６，７の実施の形態でも、第５の実施の形態と同様に拡散性カバーを取り付けてもよい。
【００４８】
また、上記の各実施の形態において、複数の可視発光ダイオードは、発光色が異なる複数種の可視発光ダイオードからなり、それぞれの可視発光ダイオードの光出力を個別に変化させる点灯装置を備えていてもよい。これにより可視発光ダイオード点灯時の光色変化が可能であるので、可視発光ダイオードの光色により照明器具の状態を表示することができるとともに、放電灯点灯時の照明器具全体としての光色を変化させることができる。
【００４９】
【発明の効果】
この発明の請求項１記載の照明器具によれば、放電灯と複数の可視発光ダイオードとを照明用光源として組み合わせて器具本体に配置し、放電灯と複数の可視発光ダイオードとを切り替えて点灯可能としたので、従来の白熱灯に替えて可視発光ダイオードを使用することで、照明器具の高さを放電灯の薄型化に応じてなるべく低く抑えることができる。
【００５０】
また、複数の可視発光ダイオードと放電灯とを機械式スイッチまたはリモートコントロールなど各種の手段で切り替えることにより、それぞれの光源を単独で点灯させることができる。
【００５１】
さらに、放電灯と複数の可視発光ダイオードとを同時に点灯させることができるので、照明器具全体としての光色を所定の色に変える効果を得る。この際、放電灯と可視発光ダイオードをそれぞれ独立させて調光または消灯させることで光色と照度を多様に設定できる。
【００５２】
請求項２では、複数の可視発光ダイオードを、照明器具の状態を表示する表示用として利用可能としたので、照明器具の状態に応じて可視発光ダイオードの点灯状態を変化させることで、放電灯の寿命時や調光状態など使用者に何らかの状態表示を行うことが容易にできる。
【００５３】
請求項３では、複数の可視発光ダイオードを、器具本体の複数箇所に集約させて配置したので、常夜灯として必要な照度を得る。また、複数箇所に配置することで照明器具全体を略均等に発光させる効果を得、各箇所に複数配置することで照明器具直下の照度をより高くする効果を得る。
【００５４】
請求項４では、複数の可視発光ダイオードを、器具本体全体に拡散させて配置したので、常夜灯として必要な照度を得る。また、拡散させて配置することで照明器具全体を略均等に発光させる効果を得、また指向性の高い可視発光ダイオードを用いた際の照明器具直下の眩しさを低減する効果を得る。
【００５５】
請求項５では、複数の可視発光ダイオードを、複数の可視発光ダイオードを、放電灯の形状に沿うように、放電灯の近傍に並べて配置したので、請求項２のように可視発光ダイオードを放電灯と同時に点灯させた際には、放電灯点灯時の照明器具全体としての光色を所定の色に変える効果を得る。
【００５６】
請求項６では、放電灯と複数の可視発光ダイオードを覆うように拡散性のカバーを有し、放電灯の点灯時に、拡散性のカバーの外側から見たときに暗く見える箇所を照射するように、複数の可視発光ダイオードを集約させて配置したので、照明器具の拡散性カバーの外側から見た場合の影の発生を抑制することができる。
【００５７】
請求項７では、複数の可視発光ダイオードは、発光色が異なる複数種の可視発光ダイオードからなり、それぞれの可視発光ダイオードの光出力を個別に変化させる手段を備えることにより、可視発光ダイオード点灯時の光色変化が可能であるので、可視発光ダイオードの光色により照明器具の状態を表示することができるとともに、放電灯点灯時の照明器具全体としての光色を変化させることができる。
【図面の簡単な説明】
【図１】（ａ）はこの発明の第１の実施の形態の照明器具の平面図、（ｂ）は断面図である。
【図２】この発明の第１の実施の形態の点灯切替の動作説明図である。
【図３】（ａ）はこの発明の第２の実施の形態の照明器具の平面図、（ｂ）は断面図である。
【図４】この発明の第２の実施の形態の点灯切替の動作説明図である。
【図５】（ａ）はこの発明の第３の実施の形態の照明器具の平面図、（ｂ）は断面図である。
【図６】この発明の第３の実施の形態の点灯切替の動作説明図である。
【図７】（ａ）はこの発明の第４の実施の形態の照明器具の平面図、（ｂ）は断面図である。
【図８】この発明の第４の実施の形態の点灯切替の動作説明図である。
【図９】（ａ）はこの発明の第５の実施の形態の照明器具の平面図、（ｂ）は断面図である。
【図１０】この発明の第５の実施の形態の点灯切替の動作説明図である。
【図１１】この発明の第６の実施の形態の照明器具の平面図である。
【図１２】この発明の第６の実施の形態の点灯切替の動作説明図である。
【図１３】この発明の第７の実施の形態の照明器具の平面図である。
【図１４】この発明の第７の実施の形態の点灯切替の動作説明図である。
【図１５】従来例の平面図である。
【図１６】従来例の点灯切替の動作説明図である。
【符号の説明】
１  放電灯
２  可視発光ダイオード
３  器具本体
４  拡散性カバー
【図１】
0004042438.tif 000002
【図２】
0004042438.tif 000003
【図３】
0004042438.tif 000004
【図４】
0004042438.tif 000005
【図５】
0004042438.tif 000006
【図６】
0004042438.tif 000007
【図７】
0004042438.tif 000008
【図８】
0004042438.tif 000009
【図９】
0004042438.tif 000010
【図１０】
0004042438.tif 000011
【図１１】
0004042438.tif 000012
【図１２】
0004042438.tif 000013
【図１３】
0004042438.tif 000014
【図１４】
0004042438.tif 000015
【図１５】
0004042438.tif 000016
【図１６】
0004042438.tif 000017